(57)【特許請求の範囲】
【請求項１】
布基礎と土台との間に介装される矩形板状の基礎パッキンにおいて、
基礎パッキンの対向する２つの辺に、辺の全長に亘って、基礎パッキンの裏面の側縁部を一定厚さに切欠いて、水切り材の底面部の先端が嵌入する凹部が形成されており、
前記水切り材の底面部の先端が、前記基礎パッキンの凹部に嵌入されることにより、基礎パッキンが、布基礎と土台との間で移動するのを防止する、建物用基礎パッキン。
【請求項２】
水切り材の底面部の先端と、基礎パッキンの凹部とに、嵌入結合状態で互いに掛かり合うような凹凸が形成されている、請求項１記載の建物用基礎パッキン。
【発明の詳細な説明】
【０００１】
【発明の属する技術分野】
この発明は、住宅などの建物の床下換気の為に、布基礎と土台との間の適所に配置する基礎パッキンの改良に関する。
【０００２】
【従来の技術】
布基礎と土台との間の適所に、基礎パッキンを介装して、基礎パッキンの無い箇所を通気間隙にし、床下の換気を図る工法は最近多用されている。しかし、この工法では、通気間隙をそのままの開放状態にしておくと、そこから鼠が侵入して、床下に巣作りするなどの問題がでる。そこで、この工法を採る場合には、通常、防鼠機能付きの水切り材を用いて、通気間隙を塞ぎ、鼠の侵入を防いでいる。この防鼠機能付き水切り材とは、通常の水切り材の底面に、鼠が通過できない大きさの通気孔を有する防鼠板を連設したものである。
【０００３】
【発明が解決しようとする課題】
ところが、前記の防鼠機能付きの水切り材は、その防鼠板の先端を布基礎の外表面に当接させるようにして取付けるのであるが、布基礎の外表面は、かならずしも精密に施工仕上げされている訳ではなく、通常は、かなりの不陸を有する。この為、水切り材を取付けた時に、防鼠板の先端と、布基礎の外表面との間の位置関係に不整合が生じ、布基礎の膨れた箇所では、水切り材に歪みが生じ、反対に、窪んだ箇所では隙間ができるという問題が発生する。
【０００４】
本発明は、このような点に鑑み、水切り材を取付けた際の納まりが良い基礎パッキンを提供するにある。更に本発明は、配置後に位置ずれを起こしにくい基礎パッキンを提供するにある。また、本発明は、布基礎の厚さに合わせて、形状の大小のものを用意しておく必要のない基礎パッキンを提供するにある。
【０００５】
【課題を解決するための手段】
本発明の基礎パッキンの技術的手段は、布基礎と土台との間に介装される矩形板状の基礎パッキンにおいて、基礎パッキンの対向する２つの辺に、辺の全長に亘って、基礎パッキンの裏面の側縁部を一定厚さに切欠いて、水切り材の底面部の先端が嵌入する凹部が形成されており、前記水切り材の底面部の先端が、前記基礎パッキンの凹部に嵌入されることにより、基礎パッキンが、布基礎と土台との間で移動するのを防止することにある。
【０００６】
また、水切り材の底面部の先端と、基礎パッキンの凹部とに、嵌入結合状態で互いに掛かり合うような凹凸を形成してもよい。
【０００７】
【発明の実施の形態】
本発明の基礎パッキンの実施の形態を図面の実施例に基づいて説明する。図１は第１実施例の使用状態で、基礎パッキン１は、布基礎１１と土台１２との間に配置される。この基礎パッキン１は、適当な間隔を開けて配置されるので、パッキンの無い所は通気間隙となり、ここから床下換気が可能である。１３は外装板で、その下に水切り材１４が取付けられる。水切り材１４は、取付部１５、傾斜水切り部１６、前垂れ部１７、底面部１８が連設された形状で、釘止め方式などによって土台１２に固着される。また、底面部１８には、鼠が通過できない程度の大きさの多数の通気孔１９があり、ここから通気が可能なので、床下換気性を損なうことなく、床下への鼠の侵入を阻止できる。
【０００８】
基礎パッキン１は、硬質合成樹脂や金属などのような耐腐蝕性を有する硬質の材料で作られていて、その平面形状は、通常は、４角形で、図２には長方形のものが、また、図３には正方形のものの一例が示されている。更に、基礎パッキン１の側縁には、各辺の全長に互って図示のように、水切り材１４の底面部１８の先端２０が嵌入できるような厚さの凹部２が形成されている。
【０００９】
なお、この凹部２はパッキンの一方の側縁に設けるだけでなく、左右の両側縁に設けても、あるいは、全周の側縁に設けるようにしてもよい。図２は両側に設けた例、図３は全周に設けた例である。更に、凹部２の形成に際しては、図示のように、パッキンの裏面を一定の厚さに切込むだけでなく、側縁の肉厚中間部に設けることも可能である。図２、図３に於いて、３はアンカーボルト用の孔、４はパッキンを隣接設置する際の連結用凹凸部である。
【００１０】
図４は第２実施例であり、基礎パッキン１の横幅が、布基礎１１の幅より大きな場合の使用状態を示している。図示のようにパッキン１の端が布基礎１１から突出するようになるが、パッキン１には凹部２があるので、水切り材１４の先端２０はこの凹部２に納まるようになり、水切り材の取付けには支障が出ない。従って、布基礎１１の幅に合わせて、その幅に合ったパッキン１を用意する必要がないので、実際の現場での使用時には極めて便利である。
【００１１】
なお、前記実施例の凹部２の形状は、単なる扁平状の切欠であるが、嵌入状態で凹部２と水切りの先端２０とが互いに掛かり合うように、両者を鉤形などの凹凸付きに成形することも可能であり、この場合には、パッキン１の移動が水切り材によって規制されるので、地震時などにおける基礎パッキン１の位置ずれや抜け出しを防止できる。
【００１２】
本発明は前記の実施例に限定されるものではなく、特許請求の範囲の記載の範囲内で自由に変形実施可能である。特に、基礎パッキンの材質や平面形状、更に凹部の形成位置や断面形状などは自由である。
【００１３】
【発明の効果】
本発明の基礎パッキンは、その側縁の凹部に、水切り材の底面部の先端を嵌入結合させる形式であるから、水切り材の取付時の納まりが良くて、布基礎に不陸があってもその影響を受けず、従来のように、水切り材が歪んだり、布基礎との間に隙間ができたりするようなことがない上に、外観体裁も良いという利点がある。更に、本発明では、水切り材の底面部の先端が、基礎パッキンの凹部に嵌入して、基礎パッキンが布基礎と土台との間で移動するのを阻止する役割を果たすので、地震時などに基礎パッキンが位置ずれしたり、抜け出したりするのを抑止できる。その上、本発明では、水切り材の取付が、基礎パッキンだけとの間で決まり、布基礎の影響を全く受けないので、基礎パッキンと布基礎との幅が異なる場合でも問題なく使用可能であり、実際の現場では極めて有益である。加えて、本発明では、基礎パッキンの裏面の側縁部を、辺の全長に亘って、一定厚さに切欠いて凹部を成形しているので、工作加工が容易で、製造コストを低くできる。更に、本発明の基礎パッキンでは、その形状が矩形板状で、対向する２つの辺に、凹部が形成されているので、基礎パッキンを配置する時に、その向きの影響を受けず、施工時に極めて便利である。
【００１４】
請求項２のものでは、水切り材の底面部の先端と、基礎バッキンの凹部とが嵌入結合した時には、両者に設けられた凹凸が互いに掛かり合うので、基礎パッキンの移動を一層規制でき、基礎バッキンの位置ずれや抜け出しを防止できる。
【図面の簡単な説明】
【図１】第１実施例の使用状態の断面図。
【図２】基礎パッキンの実施例の裏面図。
【図３】基礎パッキンの他の実施例の裏面図
【図４】第２実施例の使用状態の断面図。
【符号の説明】
１        基礎パッキン
２        凹部
【図１】
0004722302.tif 000002
【図２】
0004722302.tif 000003
【図３】
0004722302.tif 000004
【図４】
0004722302.tif 000005